(57)【要約】      （修正有）【課題】履用者の美感を満足させる体裁の良いパンプス、ミュール、ショートブーツ等の婦人靴を提供する。【解決手段】アッパー部側面やヒール部等の着用時に人目を惹く箇所を凹面に形成し、好みのデザインやスパンコールが表現され且つ凹面に嵌め込むとアッパー部やヒール部の外面と凹凸が生じない厚みを有する装飾用パーツを磁力、粘着力を用いて着脱可能に貼り付ける。【選択図】図１
0003158117.tif 000002
【実用新案登録請求の範囲】
【請求項１】
アッパー部側面やヒール部等の履用時に人目を惹く箇所を凹面に形成し、好みのデザインやスパンコールが表現され且つ凹面に嵌め込むとアッパー部やヒール部の外面と凹凸が生じない厚みを有する装飾用パーツを磁力、粘着力を用いて着脱可能に貼り付けて成る婦人靴。
【請求項２】
ヒール上部の背面にクリップを設け、好みのデザインが表現されている装飾用パーツをクリップに着脱可能に取り付けて成る婦人靴。
【考案の詳細な説明】
【技術分野】
【０００１】
本考案は所望のデザインを表現した装飾用パーツを選択して人目を惹く箇所に止着する婦人靴に関する。
【背景技術】
【０００２】
本来、婦人靴に施されているデザインは固定的なもので、着用者の意志で任意に変えることができない。好みのデザインを施した装飾用パーツを選択し、且つ人目を惹く箇所に着脱する婦人靴を求める願望がある。
【０００３】
婦人靴の踵部やアッパーに、或いは婦人靴に付着したストラップに、デザインを施した装飾部品を面ファスナーやマグネット或いは接着剤を用いて取り付ける発明(特許文献1)がある。
【先行技術文献】
【特許文献】
【０００４】
【特許文献１】特許第４１５７８１５号公報
【考案の概要】
【考案が解決しようとする課題】
【０００５】
特許第４１５７８１５号公報に係る発明の装飾部品は、ソール表面の踵部側に載置する底敷部と、底敷部の左右及び後方側の縁部から上下方向に延び且つ縁部から下方へ延びるカバー部を有する装飾部と、底敷部又は装飾部に取り付ける一端側と、他端側がヒールの爪先側で互いに接離可能となる装着部とを備え、装着部に面ファスナーを取り付け、ヒールの根元をカバー部に設けた装飾部で挟持したものであるが、装着部の面ファスナーのみではカバー部が紛失したり衝撃で脱落する恐れがある。
【０００６】
又、装着部の面ファスナーに替えマグネットを取り付けてもよいとしているが、同様にカバー部が外れてしまう恐れがある。更にカバー部を有する装飾部がヒールの根元から出っ張り著しく体裁を害する。係る問題点の解消を図るため本考案を以下の手段を用いている。
【課題を解決するための手段】
【０００７】
アッパー部側面やヒール部等の履用時に人目を惹く箇所を凹面に形成し、好みのデザインやスパンコールが表現され且つ凹面に嵌め込むとアッパー部やヒール部の外面と凹凸が生じない厚みを有する装飾用パーツを磁力、粘着力を用いて着脱可能に貼り付け、或いはヒール部の背面にクリップを設けて装飾用パーツを取り付け、ＴＰＯに対応して履用者の美感を満足させる体裁の良いパンプス、ミュール、ショートブーツ等の一般的な婦人靴を提供することを目的とする。
【考案の効果】
【０００８】
アッパー部側面やヒール部等の着用時に人目を惹く箇所に所望のデザイン、スパンコールを表現した装飾用パーツを、アッパー部やヒール部の外面と凹凸が生じないよう体裁良く、且つ着脱可能で容易に外れないように止着できるため紛失したり衝撃で外れない。ＴＰＯに応じて履用者の美感を満足させる婦人靴を提供できる。
【０００９】
ヒール部の背面に装飾用パーツを取り付けるクリップを設けるとヒール部の背後からの美感を満足させることができる。
【図面の簡単な説明】
【００１０】
【図１】パンプスに装飾用パーツを止着する部位を示す正面図。
【図２】ショートブーツにスタッズを止着した状態を示す正面図。
【図３】パンプスのあんこ部にマグネット板を張り付け、装飾用パーツを止着したマグネット板を合着する状態を示す分解正面図。
【図４】図３における装飾用パーツを止着したマグネット板の展開正面図。
【図５】パンプスのヒール部背面に装飾用パーツを挿着するクリップを設けた状態を示す背面図。
【図６】ダルメシアン柄の装飾用パーツを示す正面図。
【図７】ゼブラ柄の装飾用パーツを示す正面図。
【図８】レオパルド柄の装飾用パーツを示す正面図。
【図９】ジラフ柄の装飾用パーツを示す正面図。
【図１０】装飾用パーツのボンボンを示す正面図。
【図１１】装飾用パーツのリボンを示す正面図。
【図１２】同、背面図。
【図１３】パンプスのヒール部背面に設けたクリップに差し込む装飾用パーツのスター片を示す正面図。
【図１４】パンプスのヒール部背面に装飾用パーツのスター片を差し込んだ状態を示す背面図。
【図１５】パンプスのヒール上部側面に装飾用パーツのリボンを、爪先部上部に装飾用パーツのボンボンを止着した状態を示す正面図。
【考案を実施するための形態】
【００１１】
図１において、パンプス１のアッパー２と、ヒール３及びヒール上部３aと、あんこ部４(靴底側面)の色彩をダーク、グレー、レッド、ゴールド、ホワイト等とし、素材を同色のエナメル調のものとし、或いは同色のスパンコール調( Spangle調―舞台衣裳等に付けるピカピカ光る金、銀、すず箔)とし、あんこ部４に図７に示すゼブラ柄５aの装飾用パーツ５を選択して着脱可能に止着し、或いはスタッズ５bを鏤めた装飾用パーツ５を着脱可能に止着する。スタッズ５bの色彩はパンプス１の色彩がダークの場合は金色に、グレーの場合はシルバー色に、レッドの場合は金色に、ゴールドの場合は金色に、ホワイトの場合はシルバー色にそれぞれ施色たものを止着している。
【００１２】
図２のショートブーツ６の靴底側面６aとヒール上部３aにスタッズ５b を鏤めた装飾用パーツ５を着脱可能に止着している。
【００１３】
図３に示すように、パンプス１のあんこ部４を形成するウレタン材７のアッパー２との接着部分の肉厚を８ミリメートル薄く且つ、ソール８との圧着部分の肉厚も８ミリメートル薄く形成すると共にソール８のハミダシ巾Wを０．８ミリメートル大きく形成し、ウレタン材７にマグネット板９を張り付け、エナメル調の素材に同色のスパンコール１１を表現し、或いはダルメシアン柄５cを表現した図６に示す飾用パーツ５を着脱可能に張り付けたマグネット板９と同一大きさで同形のマグネット板１０をマグネット板９に着脱可能に圧着する。
【００１４】
図４は中央部で二つ折り可能なマグネット板１０を示しており、あんこ部４の両側にわたり折り曲げて圧着するのである。
図５はヒール上部３aの背面に装飾用パーツ５を挿し込むクリップ１２を取り付け、図１３に示す柄付きスター片１３を図１４に示すようにクリップ１２に着脱可能に差し込むのである。
【００１５】
図１０は装飾用のボンボン１４を示しており、吸盤１４a を設けて図１５に示すようにパンプス１の爪先上部に着脱可能に吸着し、或いは図１１及び図１２に示すリボン１５をパンプス１のヒール上部３a  に着脱可能に取り付ける。
【００１６】
装飾用パーツ５は美麗な意匠を施すもので多種、多様なデザインがあり、靴底側面６a、ヒール上部３a及び各装飾用パーツ５の裏面に前記マグネット以外に両面テープ等を用いて好みの人目を惹く装飾用パーツ５を止着して楽しむのであり、又、前記マグネット板に替えマグネット粒を埋設しても良く装飾用パーツ５自体も薄いマグネット薄片で形成しても良い。
【産業上の利用可能性】
【００１７】
ＴＰＯに対応して履用者の美感を満足させる体裁の良いパンプス、ミュール、ショートブーツ等の一般的な婦人靴を提供することができ、市場性に富む考案である。
【符号の説明】
【００１８】
１  パンプス  ２  アッパー部  ３  ヒール  ４  あんこ部  ５  装飾用パーツ
６  ショートブーツ  １２  クリップ  １３  スター片  １４  ボンボン  １５  リボン９、１０  マグネット
【図１】
0003158117.tif 000003
【図２】
0003158117.tif 000004
【図３】
0003158117.tif 000005
【図４】
0003158117.tif 000006
【図５】
0003158117.tif 000007
【図６】
0003158117.tif 000008
【図７】
0003158117.tif 000009
【図８】
0003158117.tif 000010
【図９】
0003158117.tif 000011
【図１０】
0003158117.tif 000012
【図１１】
0003158117.tif 000013
【図１２】
0003158117.tif 000014
【図１３】
0003158117.tif 000015
【図１４】
0003158117.tif 000016
【図１５】
0003158117.tif 000017
【手続補正書】
【提出日】平成22年1月8日(2010.1.8)
【手続補正１】
【補正対象書類名】実用新案登録請求の範囲
【補正対象項目名】全文
【補正方法】変更
【補正の内容】
【実用新案登録請求の範囲】
【請求項１】
アッパー部側面やヒール部等の履用時に人目を惹く箇所を凹面に形成し、好みのデザインやスパンコールが表現され且つ凹面に嵌め込むとアッパー部やヒール部の外面と凹凸が生じない厚みを有する装飾用パーツを磁力、粘着力を用いて着脱可能に貼り付けて成る婦人靴。